(57)【要約】      （修正有）【課題】クリップ本体の肉厚寸法に関係なく重ね合わせ部の位置関係を保持して挟持力の低下を防止する。【解決手段】挟み部１と筒体Ｂの表面Ｂ１との間に被挾着物を差し込んでクリップ本体１０を開動させても、重ね合わせ部２の互いに重なり合う部分２ｂ，２ｃが保持手段５で離隔せず、それに伴いバネ部３が弾性変形して、挟み部１に所定の挟持力が発生する。またバネ部３の弾性変形に伴って挟み部１が筒体Ｂの表面Ｂ１から離れる方向へ開動し、挟み部１を更に筒体Ｂの表面Ｂ１から離す方向へ無理に開動させる外力がクリップ本体１０に作用しても、保持手段５で重ね合わせ部２の互いに重なり合う部分２ｂ，２ｃが離隔せず、それに伴い折り返し部分２ａの曲げ角度が拡開変形することなく維持される。【選択図】図１
2011046165.tif 000002
【特許請求の範囲】
【請求項１】
筒体に対してクリップ本体が揺動自在に取り付けられるクリップであって、
前記クリップ本体に前記筒体の表面と対向するように形成される挟み部と、
前記クリップ本体の軸方向一部を折り返し、この折り返し部分を挟んで隣り合う部分同士が互いに重なり合うように形成される重ね合わせ部と、
前記筒体の表面に対して前記挟み部を接近又は離れる方向へ移動させるように弾性変形可能に形成されるバネ部と、
前記クリップ本体を前記筒体に対して取り付けるための取付部と、
前記重ね合わせ部の互いに重なり合う部分同士を隔離不能に保持する保持手段とを備えたことを特徴とするクリップ。
【請求項２】
前記重ね合わせ部の互いに重なり合う部分のうちいずれか一方から他方へ向け、前記保持手段として折り曲げ片を形成し、該折り曲げ片が前記重ね合わせ部の互いに重なり合う部分同士を抱え込むように折り曲げられたことを特徴とする請求項１記載のクリップ。
【請求項３】
前記クリップ本体の側縁に沿って補強片部を形成し、該補強片部の少なくとも前記折り返し部分側に配置される端部と同一平面上に前記保持手段の折り曲げ片を形成したことを特徴とする請求項２記載のクリップ。
【請求項４】
前記重ね合わせ部の互いに重なり合う部分のうちの前記バネ部と連続する部分、前記バネ部及び前記取付部を、前記クリップ本体の裏面と隙間を介して軸方向へ連続するように形成したことを特徴とする請求項１〜３記載のクリップ。
【発明の詳細な説明】
【技術分野】
【０００１】
本発明は、例えば筆記具や化粧具などの軸筒又はキャップなどの筒体に取り付けられて、衣服のポケットなどの薄い被挾着物だけでなく、それよりも厚みのあるノートやボードなどにも挟み込んで保持可能なレバー式（バインダー式）のクリップに関する。
詳しくは、クリップ本体を軸筒又はキャップなどの筒体に対して揺動自在に装着し、その挟み部をバネ力で筒体の表面へ向け弾性的に押圧するクリップに関する。
【背景技術】
【０００２】
従来、この種のクリップには、金属板の打ち抜き加工によりクリップ部が形成され、このクリップ部の前端で筒体と対向する裏面に玉部を曲げ加工により形成し、クリップ部の後端から裏面に沿って折り返す曲げ加工により弾性部の取付片部が形成されるとともに、これらクリップ部の後端部と弾性部の取付片部との重ね合わせ部分を後端側操作部とし、さらに弾性部の取付片部からの曲げ加工により弾性部の支持片部及び連設片部と筒体への（輪状）取付部がそれぞれ形成され、使用時には後端側操作部を筒体側に押すことにより、弾性部が弾性変形してクリップ部が揺動し、その前端の玉部が筒体の表面から離れて、被挟着物を差し込み得る開き状態となるものがある（例えば、特許文献１参照）。
【先行技術文献】
【特許文献】
【０００３】
【特許文献１】特開２００４−５８６４４号公報（図９）
【発明の概要】
【発明が解決しようとする課題】
【０００４】
しかし乍ら、このような従来のクリップでは、クリップ部の玉部と筒体の表面との間に、例えば衣服のポケットやノートなどの被挾着物が差し込まれてクリップ部を開動させると、弾性部よりも前に重ね合わせ部の折り返し部分が弾性変形してその曲げ角度が拡開し、それによりクリップ部の後端部と弾性部の取付片部とが離れるだけで、弾性部が十分に弾性変形しないことがあり、この場合には被挟着物を挟み込む挟持力が弱くなるという問題があった。
このような現象は、クリップ部の肉厚寸法が薄くなるほど、折り返し部分が弾性変形し易くなるため顕著に現れる。
また、クリップ部の玉部が筒体の表面から最も離れた開動状態よりも更に玉部側を筒体の表面から離す方向へ無理に開動させるような外力がクリップ部に作用すると、この外力は重ね合わせ部の折り返し部分に集中するため、該折り返し部分の曲げ角度が拡開し、それによりクリップ部の後端部と弾性部の取付片部との間隔が更に離れてしまうおそれがあった。
一度、重ね合わせ部の折り返し部分の曲げ角度が拡開してクリップ部の後端部と弾性部の取付片部との間隔が離れると、それ以降は元の曲げ角度に弾性的に復元せず、その結果、筒体の表面と玉部との間に隙間ができて、被挟着物を挟み込む挟持力が著しく低下し、薄い被挟着物の挟持が困難になるという問題があった。
【０００５】
本発明は、このような問題に対処することを課題とするものであり、クリップ本体の肉厚寸法に関係なく重ね合わせ部の位置関係を保持して挟持力の低下を防止すること、簡単な構造でありながら重ね合わせ部の位置関係を保持して挟持力の低下を防止すること、保持手段の折り曲げ片に被挟着物となる衣服などが引っ掛かることを防止すること、クリップ本体の根本近くまで被挟着物を奥深く差し込むこと、などを目的とするものである。
【課題を解決するための手段】
【０００６】
このような目的を達成するために本発明は、筒体に対してクリップ本体が揺動自在に取り付けられるクリップであって、前記クリップ本体に前記筒体の表面と対向するように形成される挟み部と、前記クリップ本体の軸方向一部を折り返し、この折り返し部分を挟んで隣り合う部分同士が互いに重なり合うように形成される重ね合わせ部と、前記筒体の表面に対して前記挟み部を接近又は離れる方向へ移動させるように弾性変形可能に形成されるバネ部と、前記クリップ本体を前記筒体に対して取り付けるための取付部と、前記重ね合わせ部の互いに重なり合う部分同士を隔離不能に保持する保持手段とを備えたことを特徴とする。
なお、ここで言う「折り返し部分を挟んで隣り合う部分同士が互いに重なり合うように形成される重ね合わせ部」とは、隣り合う部分同士が互い接触するように重なり合う構造のみに限定されず、隣り合う部分同士が接触はしないものの、互いに接近して略平行に並べることで重なり合う構造も含まれている。
【０００７】
前述した特徴に加えて、前記重ね合わせ部の互いに重なり合う部分のうちいずれか一方から他方へ向け、前記保持手段として折り曲げ片を形成し、該折り曲げ片が前記重ね合わせ部の互いに重なり合う部分同士を抱え込むように折り曲げられたことを特徴とする。
【０００８】
さらに前述した特徴に加えて、前記クリップ本体の側縁に沿って補強片部を形成し、該補強片部の少なくとも前記折り返し部分側に配置される端部と同一平面上に前記保持手段の折り曲げ片を形成したことを特徴とする。
【０００９】
さらに前述した特徴に加えて、前記重ね合わせ部２の互いに重なり合う部分のうちの前記バネ部と連続する部分、前記バネ部及び前記取付部を、前記クリップ本体の裏面と隙間を介して軸方向へ連続するように形成したことを特徴とする。
【発明の効果】
【００１０】
前述した特徴を有する本発明は、筒体に対してクリップ本体が揺動自在に取り付けられるクリップであって、前記クリップ本体に前記筒体の表面と対向するように形成される挟み部と、前記クリップ本体の軸方向一部を折り返し、この折り返し部分を挟んで隣り合う部分同士が互いに重なり合うように形成される重ね合わせ部と、前記筒体の表面に対して前記挟み部を接近又は離れる方向へ移動させるように弾性変形可能に形成されるバネ部と、前記クリップ本体を前記筒体に対して取り付けるための取付部と、前記重ね合わせ部の互いに重なり合う部分同士を隔離不能に保持する保持手段とを備えることにより、挟み部と筒体の表面との間に被挾着物を差し込んでクリップ本体を開動させても、重ね合わせ部の互いに重なり合う部分が保持手段で離隔せず、それ伴いバネ部が弾性変形して、挟み部に所定の挟持力が発生し、またバネ部の弾性変形に伴って挟み部が筒体の表面から離れる方向へ開動し、挟み部を更に筒体の表面から離す方向へ無理に開動させる外力がクリップ本体に作用しても、保持手段で重ね合わせ部の互いに重なり合う部分が離隔せず、それに伴い折り返し部分の曲げ角度が拡開変形することなく維持されるので、クリップ本体の肉厚寸法に関係なく重ね合わせ部の位置関係を保持して挟持力の低下を防止することができる。
その結果、クリップ本体の肉厚寸法が薄くなっても長期間に亘り薄い被挟着物を確実に挟持することができる。
【００１１】
さらに、前記重ね合わせ部の互いに重なり合う部分のうちいずれか一方から他方へ向け、前記保持手段として折り曲げ片を形成し、該折り曲げ片が前記重ね合わせ部の互いに重なり合う部分同士を抱え込むように折り曲げられた場合には、折り曲げ片の曲げ加工で重ね合わせ部の互いに重なり合う部分同士が隔離不能に保持されるので、簡単な構造でありながら重ね合わせ部の位置関係を保持して挟持力の低下を防止することができる。
その結果、製造コストを抑えつつ製品寿命を延ばすことができる。
【００１２】
また、前記クリップ本体の側縁に沿って補強片部を形成し、該補強片部の少なくとも前記折り返し部分側に配置される端部と同一平面上に前記保持手段の折り曲げ片を形成した場合には、保持手段の折り曲げ片がクリップ本体の側縁から部分的に突出することなく配置されるので、保持手段の折り曲げ片に被挟着物となる衣服などが引っ掛かることを防止することができる。
【００１３】
また、前記重ね合わせ部２の互いに重なり合う部分のうちの前記バネ部と連続する部分、前記バネ部及び前記取付部を、前記クリップ本体の裏面と隙間を介して軸方向へ連続するように形成した場合には、筒体の前方から被挟着物がクリップ本体の裏面との隙間を通って重ね合わせ部の帯状部分近くまで差し込み可能になるので、クリップ本体の根本近くまで被挟着物を奥深く差し込むことができる。
その結果、ポケットなどの被挟着物にクリップを差し込むことで筆記具などの軸筒が係止される場合には、ポケットなどの被挟着物から軸筒が突出する量を短くすることができ、それによりポケットなどの被挟着物からクリップが抜け難くなって収まりが良い。
【図面の簡単な説明】
【００１４】
【図１】本発明の実施形態に係るクリップの全体構成を示す説明図であり、（ａ）が縦断側面図、（ｂ）が筒体側から見た背面図である。
【図２】図１の（２）−（２）線に沿える拡大横断平面図である。
【図３】図１の（２）−（２）線に沿える拡大横断平面図である。
【図４】本発明の他の実施形態に係るクリップの全体構成を示す縦断側面図である。
【発明を実施するための形態】
【００１５】
以下、本発明の実施形態を図面に基づいて説明する。
本発明の実施形態に係るクリップＡは、図１〜図４に示す如く、クリップ本体１０を有し、このクリップ本体１０は、金属板などの変形可能な剛性材料からなる平板状の原料板（図示せず）がプレス機（図示せず）による打ち抜き加工で所定形状に裁断され、これに続く折り曲げ機（図示せず）による曲げ加工で所定の立体形状に製作される。
このようなクリップ本体１０は、例えば筆記具や化粧具などの軸筒又はキャップなどの筒体Ｂに対し揺動自在に取り付けられることで、本発明の実施形態に係るクリップＡとなり使用に供される。
【００１６】
そして、このクリップＡは、クリップ本体１０に筒体Ｂの表面Ｂ１と対向するように形成される挟み部１と、クリップ本体１０の軸方向一部を部分的に折り返し、この折り返し部分２ａを挟んで隣り合う部分２ｂ，２ｃ同士が互いに重なり合うように形成される重ね合わせ部２と、筒体Ｂの表面Ｂ１に対して挟み部１を接近又は離れる方向へ移動させるように弾性変形可能に形成されるバネ部３と、クリップ本体１０を筒体Ｂに対して取り付けるための取付部４と、重ね合わせ部２の互いに重なり合う部分２ｂ，２ｃ同士を隔離不能に保持する保持手段５とを備えている。
【００１７】
クリップ本体１０が打ち抜き加工と曲げ加工により製作される場合の具体例としては、原料板を打ち抜き加工して所定形状の帯状板（図示しない）が形成され、この帯状板の軸方向（長手方向）一端側に挟み部１を形成し、帯状板の軸方向中間位置に重ね合わせ部２を形成し、この重ね合わせ部２よりも軸方向他端側に弾性変形可能なバネ部３を形成し、軸方向他端に取付部４を形成することが好ましい。
また、クリップ本体１０となる帯状板には、その軸方向に延びる補強片部６を一体形成するか又は別体の補強リブを固着したり、軸方向と交差（直交）する幅方向へ断面円弧状や他の形状に屈曲（折曲）することで、クリップ本体１０全体の曲げ強度を向上させることが好ましい。
【００１８】
挟み部１は、一般的に玉部とも呼ばれる部分であり、筒体Ｂの表面Ｂ１に対して接近又は離れる方向へ移動自在に支持され、後述するバネ部３による弾性力で筒体Ｂの表面Ｂ１へ向け弾性的に押圧され、該筒体Ｂの表面Ｂ１との間に、例えば衣服のポケットやノートなどの被挾着物（図示しない）を挟み込み保持するようにしている。
図１に示される例では、帯状板の軸方向一端側を断面略三角形状に曲げ加工することで挟み部１が形成されている。
また、その他の例として挟み部１を、図示しないが例えば特許第３８０７８７０号公報に記載されるような打ち抜き加工と曲げ加工により形成するなど、図示例以外の形状にすることも可能である。
【００１９】
重ね合わせ部２は、帯状板の軸方向中間位置を略Ｕ字形又は略Ｃ字形若しくは略Ｖ字形などの形状に折り返すように曲げ加工することで、この折り返し部分２ａを挟んで隣り合う帯状部分２ｂ，２ｃ同士が互いに重なり合うように形成される。
ここで、「折り返し部分２ａを挟んで隣り合う帯状部分２ｂ，２ｃ同士が互いに重なり合う」とは、隣り合う帯状部分２ｂ，２ｃ同士が互い接触するように重なり合う構造のみに限定されず、隣り合う帯状部分２ｂ，２ｃ同士が接触はしないものの、互いに接近して略平行に並べることで重なり合う構造も含まれている。
つまり、重ね合わせ部２とは、隣り合う帯状部分２ｂ，２ｃ同士が直接的に接触する構造と、隣り合う帯状部分２ｂ，２ｃ同士が隙間を介して略平行に並べられる構造の両方を言う。
図１に示される例では、重ね合わせ部２として帯状板の軸方向中間位置を略Ｕ字形に折り返し、この折り返し部分２ａを挟んで隣り合う帯状部分２ｂ，２ｃ同士が僅かな隙間を空けて略平行に並ぶように配置しており、さらに、筒体Ｂの表面Ｂ１と背中合わせに配置される帯状部分２ｂを操作部Ｏとしている。
また、その他の例として重ね合わせ部２を、図４に示されるように、帯状板の軸方向中間位置を略Ｃ字形に折り返し、この折り返し部分２ａを挟んで隣り合う帯状部分２ｂ，２ｃ同士を直接的に接触させるなど、他の形状にすることも可能である。
【００２０】
バネ部３は、重ね合わせ部２よりも軸方向他端側の帯状部分を曲げ加工することで弾性変形可能に形成される。
図１に示される例では、重ね合わせ部２の帯状部分２ｃとバネ部３との境界部分３ａ及びバネ部３と後述する取付部４との境界部分３ｂをそれぞれ逆向きの曲げ加工しており、さらに、バネ部３と取付部４との境界部分３ｂを揺動支点Ｐとしている。
また、その他の例として図示せぬが、クリップ本体１０の両端に一体形成された一対の補強片部６の一部を筒体Ｂへ向け部分的に突出させ、該突出部を筒体Ｂの表面Ｂ１に当接させて揺動支点Ｐとすることも可能である。
さらに、その他の例としてバネ部３を、図４に示されるように、重ね合わせ部２の帯状部分２ｃとバネ部３との境界部分３ａ及び揺動支点Ｐとなる境界部分３ｂを夫々同じ向きに曲げ加工するとともに、バネ部３から後述する取付部４に至る連絡部分７を逆向きに湾曲させるなど、他の形状にすることも可能である。
【００２１】
取付部４は、筒体Ｂに対して例えば圧入や挟着や嵌合などの固定手段でクリップ本体１０を取り付ける部分である。
図１に示される例では、取付部４としてクリップ本体１０の軸方向他端に圧入用の挿入片４ａが一体形成され、筒体Ｂの表面Ｂ１又は表面Ｂ１の近傍に凹設される取付孔Ｂ２に対し、挿入片４ａを圧入することにより、クリップ本体１０が筒体Ｂと一体化されるようにしている。
また、その他の例としては、図４に示されるように、取付部４として挟着用の輪状取付部４ｂがクリップ本体１０と一体形成され、筒体Ｂの後端開口面Ｂ３と、後端開口面Ｂ３に対し挿着される止め具Ｂ４との間に挟み込むことにより、クリップ本体１０が筒体Ｂと一体化されるようにすることも可能である。
さらに、その他の例として取付部４を、図示しないが特許第３８０７８７０号公報の図７に記載されるように、筒体Ｂの径方向両側から抱き込むように一対の帯部を略筒状に折り曲げ形成してバンド状の取付部としたり、特許第４１６８０８８号公報の図１〜図４及び図１２〜図１３に記載されるように、クリップ本体１０の両端に一体形成された一対の補強片部と、筒体Ｂに突設された支持部の両側面とを回転自在に軸着又は凹凸嵌合させて揺動支点としたり、同公報の図６に記載されるように、クリップ本体１０の軸方向他端部分を筒体Ｂに突設された支持部の突出端面に係止させて取り付けたり、同公報の図７に記載されるように、クリップ本体１０の軸方向他端に一体形成された圧入用の挿入片を、筒体Ｂに突設された支持部の孔に挿着するとともに該支持部の両側面とクリップ本体１０の両端に一体形成された一対の補強片部とを回転自在に軸着又は凹凸嵌合させて揺動支点としたり、同公報の図８に記載されるように、クリップ本体１０の軸方向他端を二股状に分岐させ、この分岐部分を、筒体Ｂに突設された支持部の両側面に凹設された一対の凹溝と嵌挿し係止させて取り付けるなど、図示例以外の形状にすることも可能である。
【００２２】
保持手段５は、重ね合わせ部２となる帯状部分２ｂ，２ｃ同士を隔離不能に保持するものであり、その具体例としては、クリップ本体１０に一体又は別体で形成される部材によって帯状部分２ｂ，２ｃ同士を隔離不能に保持するものと、例えばスポット溶接などの溶着や接着剤などにより帯状部分２ｂ，２ｃ同士を固着して隔離不能に保持するものとがある。
【００２３】
このようなクリップＡによると、図１（ａ）に実線で示される閉動状態から、操作部Ｏとなる重ね合わせ部２の帯状部分２ｂを筒体Ｂへ向けて押圧することにより、図１（ａ）に二点鎖線で示されるように、バネ部３が弾性変形し、これに伴いクリップ本体１０の全体が揺動支点Ｐを中心として揺動し、挟み部１が筒体Ｂの表面Ｂ１から離れる。
また、図１（ａ）に実線で示される閉動状態で、挟み部１と筒体Ｂの表面Ｂ１との間に、例えば衣服のポケットやノートなどの被挾着物を差し込むと、図１（ａ）に二点鎖線で示されるように、クリップ本体１０の全体が揺動支点Ｐを中心として揺動し、挟み部１が開動する。
この際、重ね合わせ部２となる帯状部分２ｂ，２ｃ同士が保持手段５で隔離不能に保持されているため、これら帯状部分２ｂ，２ｃ同士が離隔移動せず、それに伴いバネ部３が弾性変形して、挟み部１に所定の挟持力が発生する。
【００２４】
そして、挟み部１が筒体Ｂの表面Ｂ１から最も離れた最大開動状態において、例えば挟み部１に被挟着物を係止させたまま筒体Ｂの表面Ｂ１から離れる方向へ無理に引っ張った時のように、挟み部１を更に筒体Ｂの表面Ｂ１から離す方向へ無理に開動させるような外力がクリップ本体１０に作用しても、保持手段５で重ね合わせ部２となる帯状部分２ｂ，２ｃ同士が隔離不能に保持されているため、これら帯状部分２ｂ，２ｃ同士が離隔移動せず、それに伴い折り返し部分２ａの曲げ角度が拡開変形することなく維持される。
それにより、外力に関係なく重ね合わせ部２における帯状部分２ｂ，２ｃ同士の位置関係が変化しないから、バネ部３による筒体Ｂの表面Ｂ１に対する挟み部１の挟持力の低下を防止できて、被挟着物の挟持力を高く維持することができる。
次に、本発明の各実施例を図面に基づいて詳細に説明する。
【実施例１】
【００２５】
この実施例１は、図１〜図３に示す如く、重ね合わせ部２の帯状部分２ｂ，２ｃのうちいずれか一方から他方へ向け、保持手段５として折り曲げ片５ａを突出形成し、この折り曲げ片５ａの曲げ加工で該折り曲げ片５ａが重ね合わせ部２の帯状部分２ｂ，２ｃ同士を抱え込むように折り曲げることにより、帯状部分２ｂ，２ｃ同士が隔離不能に保持されるものである。
図示の例では、筒体Ｂが筆記具の軸筒である場合を示しており、符号Ｃがノックである。
【００２６】
そして、図２に示すように、筒体Ｂの表面Ｂ１と背中合わせに配置される帯状部分２ｂの軸方向と交差（直交）する左右両端から一対の折り曲げ片５ａをそれぞれ突出形成し、これら折り曲げ片５ａが曲げ加工で帯状部分２ｃの左右端部を抱え込むように折り曲げられている。
また、その他の例として、図示例とは逆に帯状部分２ｃの端部から帯状部分２ｂへ向けて折り曲げ片５ａを突出形成したり、帯状部分２ｂ又は帯状部分２ｃの左右両端のうちいずれか一方のみに折り曲げ片５ａを突出形成して折り曲げ加工することも可能である。
【００２７】
さらに、クリップ本体１０には、その左右両側縁に沿って一対の補強片部６を一体形成し、これら補強片部６をクリップ本体１０の裏面側、すなわち筒体Ｂの表面Ｂ１へ向けて断面略コの字形に曲げ加工することにより、クリップ本体１０全体の曲げ強度が向上して変形し難くなるとともに、クリップ本体１０の左右側面が覆われて外観の向上を図ることができる。
特に、図３に示すように、クリップ本体１０となる帯状板を断面円弧状又は他の形状に屈曲（折曲）すれば、クリップ本体１０全体の曲げ強度を向上させることができる。
【００２８】
また、図２に示すように、保持手段５の折り曲げ片５ａを、補強片部６において少なくとも重ね合わせ部２側に配置される軸方向後端部６ａと同一平面上にそれぞれ配置することで、折り曲げ片５ａがクリップ本体１０の左右両側縁から部分的に突出することがなく、折り曲げ片５ａに被挟着物となる衣服などが引っ掛かることを防止できる。
さらに、帯状部分２ｂ又は帯状部分２ｃの左右両端のうちいずれか一方のみに折り曲げ片５ａを突出形成するものに比べ、折り曲げ片５ａの突出長さを短縮化できて材料費の削減が図れるとともに外観にも優れて商品価値の向上を図ることができる。
図１（ｂ）に示される例においてクリップ本体１０は、軸方向全長に亘りそれと直交する幅寸法が略同じ帯状板に形成され、補強片部６の後端部６ａ、前端部６ｂ及び中間部６ｃを保持手段５の折り曲げ片５ａと同一平面状に連続するように形成している。
また、その他の例として図示せぬが、クリップ本体１０は、軸方向の一部を部分的に幅寸法が異なるように形成しても良く、この場合には補強片部６の後端部６ａ、前端部６ｂ及び中間部６ｃを部分的に屈曲又は折曲させて別々の平面に配置することも可能である。  さらに、補強片部６の後端部６ａを除く前端部６ｂ又は中間部６ｃが切欠し切削されるようにすることも可能である。
【００２９】
そして、実施例１のクリップＡは、重ね合わせ部２の帯状部分２ｂ，２ｃのうちのバネ部３と連続する帯状部分２ｃ、バネ部３及び取付部４の挿入片４ａを、クリップ本体１０となる帯状板の裏面と隙間Ｓを介して軸方向へ連続するように形成している。
すなわち、重ね合わせ部２の帯状部分２ｃとバネ部３との境界部分３ａ及びバネ部３と後述する取付部４との境界部分３ｂをそれぞれ逆向きの曲げ加工することで、バネ部３が筒体Ｂの前方へ向かって徐々に筒体Ｂの表面Ｂ１と接近するように傾斜して配置されるため、筒体Ｂの前方から例えば衣服のポケットにクリップＡを差し込んだ際に、ポケットの端縁が隙間Ｓを通って帯状部分２ｃとバネ部３との境界部分３ａ近くまで深く入り込む。
それにより、ポケットから筒体Ｂが突出する量を短くすることができ、そのためポケットからクリップＡが抜け難くなって収まりが良いという利点がある。
【実施例２】
【００３０】
この実施例２は、図４に示すようにバネ部３が、重ね合わせ部２の帯状部分２ｃとバネ部３との境界部分３ａ及び揺動支点Ｐとなる境界部分３ｂを夫々同じ向きに曲げ加工するとともに、バネ部３から取付部４に至る連絡部分７を逆向きに湾曲させた構成が、前記図１〜図３に示した実施例１とは異なり、それ以外の構成は図１〜図３に示した実施例１と同じものである。
【００３１】
さらに、取付部４として挟着用の輪状取付部４ｂがクリップ本体１０と一体形成され、筒体Ｂの後端開口面Ｂ３と、後端開口面Ｂ３に対し挿着される止め具Ｂ４との間に挟み込むことで、クリップ本体１０を筒体Ｂに対し取り付けている。
したがって、図４に示す実施例２は、前述した実施例１と同様な作用効果が得られる。
【００３２】
なお、前示実施例では、保持手段５として、クリップ本体１０に一体で形成される部材によって帯状部分２ｂ，２ｃ同士を隔離不能に保持するものだけを説明したが、これに限定されず、クリップ本体１０に別体で形成される部材や溶着又は接着剤などによって帯状部分２ｂ，２ｃ同士を隔離不能に保持しても良い。
【符号の説明】
【００３３】
Ａ  クリップ                      １０  クリップ本体
１  挟み部                        ２  重ね合わせ部
２ａ  折り返し部分                ２ｂ，２ｃ  重なり合う部分（帯状部分）
３  バネ部                        ４  取付部
５  保持手段                      ５ａ  折り曲げ片
６  補強片部                      ６ａ  端部（後端部）
Ｂ  筒体                          Ｂ１  表面
Ｓ  隙間
【図１】
2011046165.tif 000003
【図２】
2011046165.tif 000004
【図３】
2011046165.tif 000005
【図４】
2011046165.tif 000006
【手続補正書】
【提出日】平成21年8月31日(2009.8.31)
【手続補正１】
【補正対象書類名】明細書
【補正対象項目名】００１４
【補正方法】変更
【補正の内容】
【００１４】
【図１】本発明の実施形態に係るクリップの全体構成を示す説明図であり、（ａ）が縦断側面図、（ｂ）が筒体側から見た背面図である。
【図２】図１の（２）−（２）線に沿える拡大横断平面図である。
【図３】図１の（３）−（３）線に沿える拡大横断平面図である。
【図４】本発明の他の実施形態に係るクリップの全体構成を示す縦断側面図である。